(57)【特許請求の範囲】
【請求項１】
電子機器から排出されたエアーが通る第１のダクトと、
水蒸気保持室と、
前記第１のダクトを通るエアーにより加熱されて前記水蒸気保持室内に水蒸気を発生する蒸発器と、
水分を吸着する吸着剤を備え、駆動部により駆動されて回転するデシカントローターと、
加湿室と、
屋外から導入された外気を前記加湿室に搬送する第２のダクトと、
前記加湿室を通過したエアーを前記電子機器が設置された室内に搬送する第３のダクトとを有し、
前記蒸発器は、前記第１のダクト内に配置された吸熱板と、前記水蒸気保持室内に配置されて前記吸熱板と熱的に接続した貯水部とを有し、
前記デシカントローターの一部は前記水蒸気保持室内に配置され、他の一部は前記加湿室内に配置されていることを特徴とする空調システム。
【請求項２】
更に、前記電子機器が設置された室内のエアーが導入される第４のダクトを有し、前記加湿室には前記第２のダクトを介して導入された外気と前記第４のダクトを介して導入されたエアーとを混合したエアーが供給されることを特徴とする請求項１に記載の空調システム。
【請求項３】
前記第２のダクトと前記第３のダクトとを直接連絡する第５のダクトを有し、前記第２のダクトと前記第５のダクトとの接続部には前記第２のダクトに導入された外気の流れ方向を前記加湿室及び前記第５のダクトのいずれか一方に切り換える切り換えバルブが設けられていることを特徴とする請求項２に記載の空調システム。
【請求項４】
電子機器から排出されたエアーが通る第１のダクトと、
水蒸気保持室と、
前記第１のダクトを通るエアーにより加熱されて前記水蒸気保持室内に水蒸気を発生する蒸発器と、
水分を吸着する吸着剤を備え、駆動部により駆動されて回転するデシカントローターと、
加湿室と、
屋外から導入された外気を前記加湿室に搬送する第２のダクトと、
前記加湿室を通過したエアーを前記電子機器が設置された室内に搬送する第３のダクトと、
前記第２のダクトに連絡し、前記電子機器が設置された室内のエアーを前記加湿室に供給する第４のダクトと、
前記第２のダクトと前記第３のダクトを直接連絡する第５のダクトと、
前記第２のダクトに導入されるエアーの流量を調整可能な第１の流量調整部と、
前記第４のダクトに導入されるエアーの流量を調整可能な第２の流量調整部と、
前記第２のダクトと前記第５のダクトとの接続部に配置されて前記第２のダクトに導入された外気の流れ方向を前記加湿室及び前記第５のダクトのいずれか一方に切り換える切り換えバルブと、
外気の温度及び湿度を検出する第１のセンサ部と、
前記第３のダクト内を通るエアーの温度及び湿度を検出する第２のセンサ部と、
前記第１のセンサ部及び前記第２のセンサ部の出力に応じて前記第１の流量調整部、前記第２の流量調整部、前記切り換えバルブ及び前記デシカントローターを制御する制御装置とを有し、
前記デシカントローターの一部は前記水蒸気保持室内に配置され、他の一部は前記加湿室内に配置されていることを特徴とする空調システム。
【請求項５】
水蒸気保持室と、
廃熱により前記水蒸気保持室内に水蒸気を発生させる蒸発器と、
前記水蒸気を吸着する吸着剤を備えるデシカントローターと、
前記吸着剤に吸着された水分によりエアーを加湿する加湿室と
を有し、
前記蒸発器は、前記廃熱を吸熱する吸熱板と、前記水蒸気保持室内に配置されて前記吸熱板と熱的に接続した貯水部とを有することを特徴とする加湿器。
【発明の詳細な説明】
【技術分野】
【０００１】
本発明は、外気を導入して室内を空調する空調システムに関する。
【背景技術】
【０００２】
近年、高度情報化社会の到来にともなって計算機（コンピュータ装置）で多量のデータが取り扱われるようになり、データセンター等の施設において多数の計算機を同一室内に設置して一括管理することが多くなっている。このような状況下では、計算機から多量の熱が発生して誤動作や故障の原因となるため、計算機を冷却する手段が必要となる。そのため、通常データセンターでは、計算機内で発生した熱をファン（送風機）により計算機の外に排出するとともに、空調機（エアコン）を使用して室内の温度を調整している。【０００３】
ところで、計算機の稼働状態によって計算機から発生する熱量は大幅に変動する。熱による計算機の誤動作や故障を確実に防止するためには、計算機室内の全ての計算機の最大発熱量の合計に対応する冷却能力を有する空調機を使用することが考えられる。しかし、冷却能力が大きい空調機は一般的に消費電力も大きく、省エネルギーの観点からは好ましくない。そこで、空調機を含んだ空調設備の効率的な運転が要求されている。
【先行技術文献】
【特許文献】
【０００４】
【特許文献１】特開２０１０−３２１７４号公報
【発明の概要】
【発明が解決しようとする課題】
【０００５】
従来のデータセンターでは、計算機室内で空気を循環させながら空気の温度を管理している。このため、空調設備を効率的に運転したとしても、少なくとも計算機室内の全ての計算機で発生する熱量に対応する分の電力が空調設備で消費され、それ以上に電力を削減することはできない。【０００６】
以上から、空調設備で消費する電力をより一層削減できる空調システムを提供することを目的とする。
【課題を解決するための手段】
【０００７】
一観点によれば、電子機器から排出されたエアーが通る第１のダクトと、水蒸気保持室と、前記第１のダクトを通るエアーにより加熱されて前記水蒸気保持室内に水蒸気を発生する蒸発器と、水分を吸着する吸着剤を備え、駆動部により駆動されて回転するデシカントローターと、加湿室と、屋外から導入された外気を前記加湿室に搬送する第２のダクトと、前記加湿室を通過したエアーを前記電子機器が設置された室内に搬送する第３のダクトとを有し、前記蒸発器は、前記第１のダクト内に配置された吸熱板と、前記水蒸気保持室内に配置されて前記吸熱板と熱的に接続した貯水部とを有し、前記デシカントローターの一部は前記水蒸気保持室内に配置され、他の一部は前記加湿室内に配置されている空調システムが提供される。
【発明の効果】
【０００８】
上記一観点の空調システムでは、電子機器から排出されたエアーにより加熱されて水蒸気保持室内に水蒸気を発生する蒸発器を有している。また、水蒸気保持室及び加湿室にはそれぞれデシカントローターの一部が配置されている。そして、このデシカントローターは駆動部により回転し、水蒸気保持室内で吸着した水分を加湿室で放出する。これにより、加湿室を通って電子機器が設置された室内に供給されるエアーの湿度が上昇する。【０００９】
このように、上記一観点の空調システムでは、電子機器が設置された室内に外気を導入する際に、電子機器から排出されるエアーにより水蒸気を発生させて外気に含まれる水分量を上昇させるので、空調機及び加湿器で消費する電力を削減できる。
【図面の簡単な説明】
【００１０】
【図１】図１は、計算機室の一例を表す模式図である。
【図２】図２は、実施形態に係る空調システムの模式図である。
【図３】図３は、デシカントローター装置の模式図である。
【図４】図４は、蒸発器及びその近傍の部分を表す模式図（透視図）である。
【図５】図５は、実施形態に係る空調システムの動作を説明するフローチャートである。
【図６】図６は、加熱式加湿器を有する比較例の空調システムの模式図である。
【発明を実施するための形態】
【００１１】
以下、実施形態について説明する前に、実施形態の理解を容易にするための予備的事項について説明する。
【００１２】
データセンター等の施設で空調に使用する電力を削減するために、外気の温度が低いときには外気を室内に導入することが考えられる。例えば、空調機により温度が２０℃に調整されたエアーを室内に供給しているデータセンターの場合、外気の温度が２０℃以下のときに外気を室内に導入すれば、空調設備で使用する電力の大幅な削減が期待できる。
【００１３】
しかし、データセンターでは、静電気によって計算機に不具合が発生することを防止するために、室内の湿度も管理している。空気中に含まれる水分量が同じであっても、空気の温度が高くなると湿度（相対湿度：以下同じ）は低くなる。そのため、冬場の外気、例えば温度が１０℃以下、湿度が５０％以下の外気を計算機室内にそのまま導入すると、温度の上昇にともなって湿度が極端に減少する。
【００１４】
一般的に、データセンターでは計算機室内に加熱式加湿器や超音波式加湿器等を設置して、室内の湿度を５０％〜６０％程度に調整している。しかし、計算機室内に単に外気を導入しただけでは、従来使用されている加湿器だけでは加湿能力が不足し、加湿器の数を増やすか、又は加湿能力が大きい加湿器を導入するなどの対策が必要になる。しかし、そのような対策をとると消費電力が増大するため、外気を導入しても空調設備の消費電力削減効果が十分に得られなくなってしまう。
【００１５】
そこで、外気を導入しても湿度の管理に要する電力が少なくてすむ空調システムが要望される。
【００１６】
（実施形態）
図１は、計算機室の一例を表す模式図である。以下の実施形態では、計算機室の空調を例に説明している。
【００１７】
計算機室１０は、ラック１２が設置される機器設置エリア１１ａと、機器設置エリア１１ａの床下に設けられて電力ケーブルや信号ケーブルが敷設されるフリーアクセスフロア１１ｂと、機器設置エリア１１ａの天井裏に設けられた排気流路１１ｃとを有する。各ラック１２には、それぞれ複数の計算機（図示せず）が収納されている。また、計算機室１０には、排気流路１１ｃからエアーを取り込んで冷却し、フリーアクセスフロア１１ｂに冷却後のエアーを供給する空調機１５が配置されている。
【００１８】
ラック１２は列毎に並んでおり、隣り合う列のラック１２は吸気面と吸気面又は排気面と排気面とが向かい合うように配置されている。そして、ラック１２の排気面側の天井には機器設置エリア１１ａと排気流路１１ｃとを連絡する開口部１４が設けられており、ラック１２の吸気面側の床には機器設置エリア１１ａとフリーアクセスフロア１１ｂとを連絡するグリル（通気口）１３が設けられている。
【００１９】
空調機１５からフリーアクセスフロア１１ｂに供給された低温のエアーは、グリル１３を介して機器設置エリア１１ａに送られ、ラック１２に吸気面側から取り込まれる。そして、ラック１２の排気面側からは、計算機を冷却して高温になったエアーが排気される。このエアーは開口部１４を介して排気流路１１ｃに入り、排気流路１１ｃを通って空調機１５に戻る。
【００２０】
図２は、実施形態に係る空調システムの模式図である。
【００２１】
この図２のように、本実施形態に係る空調システムは、湿度調整部２０と、ダクト２１〜２８と、エアーバルブ４１〜４４と、ファン（送風機）４６〜４８と、温度及び湿度を検出するセンサ部５１，５２とを有する。また、湿度調整部２０は、水蒸気保持室２０ａと、加湿室２０ｂと、デシカントローター装置３０と、蒸発器３５とを有する。更に、本実施形態に係る空調システムは、センサ部５１，５２から信号を入力し、デシカントローター装置３０、エアーバルブ４１〜４４及びファン４６〜４８を駆動制御する制御装置５０を有している。
【００２２】
デシカントローター装置３０は、図３に模式的に表すように、円盤状のデシカントローター３１と、デシカントローター３１の中心軸に配置されてデシカントローター３１を回転させる駆動部３２とを有する。デシカントローター３１は、その厚み方向にエアーが通流可能な不織布等の部材により形成されており、空気中の水分を吸着する性質を有する吸着剤を含んでいる。吸着剤には、シリカゲル、ゼオライト及び活性炭等を使用することができる。なお、本実施形態では、比較的低温で再生（乾燥）が可能であることから、吸着剤として活性炭を使用するものとする。
【００２３】
図４は、蒸発器３５及びその近傍の部分を表す模式図（透視図）である。この図４のように、蒸発器３５は、伝熱板３８と、伝熱板３８の一方の側に配置された複数のフィン（吸熱板）３７と、伝熱板３８の他方の側に配置された貯水部３６とを有する。伝熱板３８及びフィン３７はいずれも銅（Ｃｕ）、アルミニウム（Ａｌ）又はカーボン等の熱導電性が良好な材料により形成されている。ここでは、伝熱板３８及びフィン３７はいずれも銅により形成され、フィン３７と伝熱板３８とはろう付けされているものとする。
【００２４】
貯水部３６は、不織布等の吸水性が優れた部材を含んで形成されている。空調システムの稼働時には貯水部３６に給水管３９を介して水が適宜供給され、貯水部３６は常に湿った状態に維持される。以下、蒸発器３５のうちフィン３７が配置された部分を熱交換部と呼び、貯水部３６が配置された部分を蒸発部と呼ぶ。
【００２５】
次に、図２を参照し、湿度調整部２０及びダクト２１〜２８の接続関係について説明する。ダクト２１（第１のダクトの一例）、湿度調整部２０の水蒸気保持室２０ａ及びダクト２３はこの順で直線状に並んで接続されている。また、ダクト２１の水蒸気保持室２０ａ側の端部には、ダクト２２がダクト２１に対し垂直に接続されている。本実施形態では、ダクト２１及びダクト２３はいずれも計算機室１０の排気流路１１ｃに連絡しており、ダクト２２は屋外に連絡しているものとする。
【００２６】
ダクト２１内にはファン４６が配置されており、このファン４６の回転により、計算機室１０の排気流路１１ｃを通る比較的高温（例えば３０℃〜３５℃）のエアーがダクト２１内に導入される。また、ダクト２１内の水蒸気保持室２０ａ側の端部には、蒸発器３５の熱交換部（フィン３７）が配置されている。ダクト２１内に導入されたエアーは、蒸発器３５のフィン３７間の隙間を通ってダクト２２に移動し、屋外に排出される。このダクト２２内には、エアーバルブ４１が配置されている。
【００２７】
水蒸気保持室２０ａとダクト２１との接続部にはエアーバルブ４２が配置されており、水蒸気保持室２０ａとダクト２３との接続部にはエアーバルブ４３が配置されている。これらのエアーバルブ４２，４３をいずれも閉状態にすると、水蒸気保持室２０ａ内はほぼ密閉された空間となる。
【００２８】
水蒸気保持室２０ａ内には蒸発器３５の蒸発部（貯水部３６）が配置されている。この蒸発部は、エアーバルブ４２の下側の隙間を通る伝熱板３８を介してダクト２１内の熱交換部（フィン３７）と熱的に接続されている。また、水蒸気保持室２０ａ内には、図２のようにデシカントローター装置３０のうち駆動部３２よりも上側の部分が配置されている。
【００２９】
ダクト２４（第４のダクトの一例）、湿度調整部２０の加湿室２０ｂ及びダクト２５（第３のダクトの一例）はこの順で直線状に並んで接続されて、ダクト２１、水蒸気保持室２０ａ及びダクト２３の下方に配置されている。本実施形態では、ダクト２４及びダクト２５はいずれも計算機室１０内の排気流路１１ｃに連絡しているものとする。
【００３０】
ダクト２４内にはファン４７（第２の流量調整部の一例）が配置されており、このファン４７の回転によりダクト２４内には計算機室１０内のエアーが導入される。加湿室２０ｂ内には、デシカントローター装置３０のうち駆動部３２よりも下側の部分が配置される。デシカントローター装置３０を通過したエアーは、ダクト２５を介して計算機室１０内に放出される。
【００３１】
ダクト２６（第２のダクトの一例）内にはファン４８（第１の流量調整部の一例）が配置されており、このファン４８の回転によりダクト２６内に外気が導入される。このダクト２６は、ダクト２８を介してダクト２５に接続されており、且つダクト２７を介してダクト２４に接続されている。ダクト２７とダクト２８との分岐部にはエアーバルブ（切り換えバルブ）４４が配置されており、このエアーバルブ４４によりダクト２６内に導入された外気がダクト２７及びダクト２８のいずれか一方に送られる。
【００３２】
センサ部５１はダクト２６内に配置され、外気の温度と湿度とを検出する。また、センサ部５２はダクト２５内に配置され、ダクト２５内を通るエアーの温度と湿度とを検出する。
【００３３】
次に、本実施形態におけるデシカントローター装置３０の動作について説明する。
【００３４】
前述したように、水蒸気保持室２０ａの両端部にはエアーバルブ４２，４３が設けられており、これらのエアーバルブ４２，４３をいずれも閉状態にすると、水蒸気保持室２０ａ内はほぼ密閉された空間となる。ダクト２１，２２を通る比較的高温のエアーにより蒸発器３５のフィン３７が暖められると、水蒸気保持室２０ａ内に配置された貯水部２６にもフィン３７の熱が伝達され、貯水部２６から水分が蒸発する。これにより、水蒸気保持室２０ａ内は温度及び湿度（相対蒸気圧）がいずれも高い状態となる。このため、デシカントローター３１には、多量の水分が吸着される。
【００３５】
このデシカントローター３１は、駆動部３２により駆動されて回転する。デシカントローター３１のうち水分を吸着した部分が加湿室２０ｂ内に入ると、加湿室２０ｂ内に進入するエアーの湿度は比較的低いので、デシカントローター３１から水分が蒸発する。これにより、デシカントローター３１が再生（乾燥）されるとともに、デシカントローター３１を通過したエアーに含まれる水分量が上昇する。
【００３６】
デシカントローター３１の回転速度が所定の範囲内であれば、デシカントローター３１の回転速度が速いほどデシカントローター３１を通過したエアーに含まれる水分量が多くなる。従って、デシカントローター３１の回転速度により加湿量を調整することができる。なお、図２ではデシカントローター装置３０に含まれるデシカントローター３１が１枚の場合を表しているが、１枚のデシカントローター３１では加湿量が不足する場合は、湿度調整部２０内に複数枚のデシカントローター３１を配置すればよい。
【００３７】
以下、本実施形態に係る空調システムの動作について、図５のフローチャートを参照して説明する。ここでは、初期状態において、エアーバルブ４２，４３がいずれも閉状態、エアーバルブ４１は開状態であるとする。
【００３８】
まず、ステップＳ１１において、制御装置５０は、センサ部５１から外気の温度Ｔout及び外気の湿度Ｍoutの検出結果を取得する。そして、ステップＳ１２において、外気の温度Ｔoutが予め設定された設定温度Ｔ1以下か否かを判定する。外気の温度Ｔoutが設定温度Ｔ1（例えば、２５℃）よりも高いと判定した場合（ＮＯの場合）は、計算機室１０内への外気の取り込みは行わない。この場合は、ステップＳ１２からステップＳ１１に戻る。
【００３９】
一方、ステップＳ１２において外気の温度Ｔoutが設定温度Ｔ1以下であると判定した場合（ＹＥＳの場合）は、ステップ１３に移行する。そして、ステップＳ１３において、制御装置５０は、外気の湿度Ｍoutが予め設定された湿度Ｍ1、例えば絶対湿度が０．０９９（ｋｇ／ｋｇ（ＤＡ））以上か否かを判定する。
【００４０】
外気の湿度Ｍoutが設定値Ｍ1よりも高いと判定した場合（ＹＥＳの場合）は、加湿する必要がないことを意味している。この場合はステップＳ１４に移行し、制御装置５０はエアーバルブ４４を駆動して、ダクト２７側を閉、ダクト２８側を開状態にする。また、外気を取り入れた量と同量の排気を計算機室１０から屋外へ排出するため、エアーバルブ４１を駆動してダクト２２を開状態（開状態の継続）とする。その後、ステップＳ１５に移行し、ファン４６，４８を回転（回転の開始又は回転の継続）させる。これにより、外気は、ダクト２６、ダクト２８及びダクト２５を順番に通り、計算機室１０内に導入される。また、計算機室１０からダクト２１，２２を通って排気が排出される。すなわち、この場合、外気はデシカントローター３１を通ることなく計算機室１０内に導入される。ステップＳ１４，Ｓ１５の処理が実行された後、ステップＳ１１に戻る。
【００４１】
なお、後述するステップＳ１７でファン４７及びデシカントローター３１を回転させた場合は、ステップＳ１５においてファン４７及びデシカントローター３１の回転を停止させる。
【００４２】
一方、ステップＳ１３で外気の湿度Ｍoutが設定値Ｍ1以下と判定した場合（ＮＯの場合）は、外気を導入する際に加湿が必要であることを意味する。この場合は、ステップＳ１６に移行し、制御装置５０は、エアーバルブ４４を駆動してダクト２８側を閉、ダクト２７側を開状態にする。その後、ステップＳ１７に移行し、制御装置５０は、ファン４６，４７，４８を回転（回転の開始又は継続）させるとともに、デシカントローター３１を回転（回転の開始又は継続）させる。
【００４３】
これにより、ダクト２１内にはラック１２から排出された比較的高温（例えば３０℃〜３５℃）のエアーが導入されるとともに、デシカントローター３１が予め設定された回転速度で回転を開始する。また、給水管３９を介して蒸発器（貯水部３６）に水が供給される。そして、水蒸気保持室２０ａ内は高温且つ多湿の状態になり、デシカントローター３１に多量の水分が吸着される。それらの水分は、デシカントローター３１の回転にともなって加湿室２０ｂに運ばれる。
【００４４】
一方、ファン４７の回転によりダクト２４内には計算機室１０内のエアーが導入され、ファン４８の回転によりダクト２６内には外気が導入される。これらのエアーはダクト２４とダクト２７との接合部で合流し、湿度調整部２０の加湿室２０ｂ内に進入する。そして、このエアーは、加湿室２０ｂ内に配置されたデシカントローター３１を透過する際に水分を十分に含んで湿度が上昇し、ダクト２５を介して計算機室１０内に導入される。ステップＳ１６，Ｓ１７の処理が実行された後、ステップＳ１８に移行する。
【００４５】
ステップＳ１８において、制御装置５０は、センサ部５２からダクト２５を通るエアーの温度及び湿度の検出結果を取得する。そして、ステップＳ１９に移行し、制御装置５０は、ダクト２５内を通るエアーの湿度に応じて、デシカントローター３１の回転速度やファン４７の回転速度を制御する。すなわち、ダクト２５内を通るエアーの湿度が予め設定された範囲よりも低い場合は、デシカントローター３１の回転速度を速くしたり、ファン４７の回転速度を速くする。一方、ダクト２５内を通るエアーの湿度が予め設定された範囲よりも高い場合は、デシカントローター３１の回転速度を遅くしたり、ファン４７の回転速度を遅くする。その後、ステップＳ１１に戻り、上述した処理を繰り返す。この処理は、オペレータにより停止されるまで繰り返し実施される。
【００４６】
上述したように、本実施形態では、外気の温度が低いときには計算機室１０内に外気を導入し、更に外気の湿度が低いときには計算機室１０から排出される高温のエアーを利用して水蒸気を発生させて計算機室１０内に導入するエアーを加湿する。これにより、計算機室１０内に配置された空調機１５及び加湿器の負荷を軽減でき、計算機室１０の空調に要する電力を大幅に削減できるという効果を奏する。
【００４７】
なお、空調システムを長期間停止するときは、水蒸気保持室２０ａ内を乾燥させておくことが好ましい。本実施形態に係る空調システムでは、エアーバルブ４２，４３を開状態、エアーバルブ４１を閉状態としてファン４６を回転させることにより、水蒸気保持室２０ａを乾燥させることができる。
【００４８】
また、上述の実施形態ではダクト２６から導入された外気とダクト２４から導入された計算機室１０内のエアーとを混合してからデシカントローター装置３０に供給しているが、外気を直接デシカントローター装置３０に供給してもよい。しかし、その場合はデシカントローター装置３０に供給されるエアーの温度が低いため、加湿量が少なくなることが考えられる。そのため、上述の実施形態のように、外気と計算機室１０内のエアーとを混合してエアーの温度を上昇させることが好ましい。
【００４９】
更に、センサ部５２で検出された温度に応じて、ダクト２４を介して導入された計算機室１０内のエアーと外気との混合比を変化させるようにしてもよい。
【００５０】
以下、デシカントローター装置を使用して加湿を行った場合と加熱式加湿器を使用して加湿を行った場合の消費電力を調べた結果について説明する。
【００５１】
（実施例１）
実施例１として、図２の空調システムを作製した。デシカントローター３１の直径は２０ｃｍであり、フッ素樹脂製のシール材（パッキン）を用いて水蒸気保持室２０ａ及び加湿室２０ｂの筺体とデシカントローター３１との間の気密性を確保した。
【００５２】
デシカントローター３１にはコルゲートフィン構造のものを使用し、このデシカントローター３１に吸着剤として硝酸により表面処理して親水性を付与した活性炭を約６００ｇ充填した。活性炭の粒子径は約５００μｍである。
【００５３】
そして、外気の温度が約１０℃、湿度が約３５％のときに空調システムを稼働した。このとき、計算機室１０からダクト２１，２４に導入されるエアーの温度は約３５℃、湿度は約２８％であった。また、加湿室２０ｂには計算機室１０内のエアーと外気とを１：１の体積比で混合したエアーを１ｍ3／minの流量で供給した。
【００５４】
デシカントローター３１を透過した後のエアーの温度をダクト２５内のセンサ部５２で測定し、ダクト２５を流れるエアーの温度が２０℃、湿度が５５％となるようにデシカントローター装置３０及びファン４６〜４８の回転数を制御した。なお、デシカントローター３１の回転数は１分間当たり１〜２回転であった。
【００５５】
このときのデシカントローター装置３０の消費電力は５０Ｗ、ファン４６〜４８の消費電力は１２０Ｗであり、合計の消費電力は１７０Ｗであった。
【００５６】
（実施例２）
デシカントローター３１に吸着剤としてシリカゲル（富士シリシア化学株式会社製）を８００ｇ充填したこと以外は実施例１と同様の空調システムを作製した。また、実施例１と同様に、デシカントローター３１を透過した後のエアーの温度をダクト２５内のセンサ部５２で測定し、ダクト２５を流れるエアーの温度が２０℃、湿度が５５％となるようにデシカントローター装置３０及びファン４６〜４８の回転数を制御した。なお、デシカントローター３１の回転数は１分間当たり１回転であった。
【００５７】
このときのデシカントローター装置２０の消費電力は６０Ｗ、ファン４６〜４８の消費電力は１２０Ｗであり、合計の消費電力は１８０Ｗであった。
【００５８】
（比較例）
図６のように、ダクト６１内に加熱式加湿器６３を配置した。ダクト６１内には、ファン６４により計算機室内から比較的高温のエアーが導入され、反対側から加湿後のエアーが計算機室内に放出される。なお、加熱式加湿器６３は、不織布と、不織布に水を供給する給水管と、不織布を加熱する電熱ヒータとを有する。
【００５９】
ダクト６１の途中（加熱式加湿器６３よりも風下側）に、ダクト６２を接続した。このダクト６２内には、ファン６５により屋外から外気が導入される。更に、ダクト６１の出口側に、ダクト６１内を通るエアーの温度及び湿度を検出するセンサ部６６を配置した。
【００６０】
この図６の空調システムを使用し、計算機室からダクト６１に導入されるエアーと屋外からダクト６２に導入されるエアー（外気）の割合が体積比で１：１となるようにファン６４，６５の回転数を制御した。その結果、ダクト６１から排出されるのエアーの温度は２０℃、湿度は５０％となった。このときの加熱式加湿器６３（ヒータ）の消費電力とファン６４，６４の合計の消費電力は３５０Ｗであった。
【００６１】
上述の実施例１，２及び比較例から、実施形態に係る空調システムの電力削減効果を確認できた。
【００６２】
なお、上述した実施形態で開示した技術は、計算機室を空調するシステムに限定されるものではなく、計算機以外の電子機器が設置された室内の空調に適用することができる。
【図１】
0005494811.tif 000002
【図２】
0005494811.tif 000003
【図３】
0005494811.tif 000004
【図４】
0005494811.tif 000005
【図５】
0005494811.tif 000006
【図６】
0005494811.tif 000007